(57)【要約】【課題】洗浄効率を高め、洗浄作業に要する作業者の労力を軽減できるようにする。【解決手段】ミキサモータ８の電源ライン２４に、通電方向を正回転側又は逆回転側に切替えるインバータ２５を設ける。インバータ２５への正転信号入力ライン２６と逆転信号入力ライン２７に可逆開閉器５２を設ける。可逆開閉器５２の正転側接点５２−Ｆと逆転側接点５２−Ｒを個別に作動させるリレー５２−Ｆと５２−Ｒを備え、洗浄開始スイッチＳＷ１の操作時にリレー５２−Ｆと５２−Ｒを所定の時間間隔で交互に励磁させることができる機能を備えた制御部２８を備える。ミキサ内部の洗浄を行う場合は、ミキシングパンに水を満たし、洗浄開始スイッチＳＷ１を操作して、ミキサモータ８によりシャフトと一体に各撹拌部材を、ミキシングパンに満たした水の中で交互に正回転、逆回転させて洗浄する。【選択図】図１
2005254188.tif 000002
【特許請求の範囲】
【請求項１】
コンクリートミキサのミキシングパン内に水を満たした後、ミキサモータを所要の時間間隔で交互に正回転及び逆回転させるようにし、上記ミキシングパン内の水の中でシャフトと撹拌部材を正回転及び逆回転させて洗浄することを特徴とするコンクリートミキサの洗浄方法。
【請求項２】
コンクリートミキサのミキサモータへ電力供給する電源ライン上に、外部より入力される正転信号又は逆転信号に応じて上記ミキサモータへ供給する電力をそれぞれ正回転方向又は逆回転方向に切り替えられるようにしてあるインバータを設け、更に、洗浄開始スイッチの操作により、上記インバータへ正転信号及び逆転信号を所要の時間間隔で交互に与えることができるようにしてある制御部を備えた構成を有することを特徴とするコンクリートミキサの洗浄装置。
【請求項３】
インバータへ入力される正転信号と逆転信号の入力ライン上に、可逆開閉器を設け、且つ制御部を、洗浄開始スイッチの操作時に、上記可逆開閉器の正転信号入力ライン側接点と逆転信号入力ライン側接点を所要の時間間隔で交互に閉路させる機能を備えた構成とした請求項２記載のコンクリートミキサの洗浄装置。
【請求項４】
コンクリートミキサのミキサモータの電源ラインの途中位置に、該電源ラインの通電方向を反転させるよう電力線を交差接続した逆転回路を並列に設け、該逆転回路と電源ライン上の対応する個所に可逆開閉器を設け、更に、洗浄開始スイッチの操作により、上記可逆開閉器の上記電源ライン側接点と逆転回路側接点を所要の時間間隔で閉路させることができるようにしてある制御部を備えた構成を有することを特徴とするコンクリートミキサの洗浄装置。
【発明の詳細な説明】
【技術分野】
【０００１】
本発明はバッチャプラントにて生コンクリート等の混練に用いたコンクリートミキサの内部に付着するモルタル分等を洗浄するために用いるコンクリートミキサの洗浄方法及び装置に関するものである。
【背景技術】
【０００２】
一般に、生コンクリート製造工場やコンクリート製品工場のバッチャプラントで生コンクリートやモルタル、特殊コンクリート等を製造する場合は、セメントと所要の骨材と水、及び、必要に応じて各種混和剤や混和材料等の各原料を所定の割合で混合し、混練させるようにするものであるが、生成される生コンクリートやモルタル、特殊コンクリート等は高い粘性を有する粘性流体となることから、これらの混練対象物を混練するための混練装置としては、たとえば、強制循環式のコンクリートミキサが使用されている。
【０００３】
この種の強制循環式のコンクリートミキサとしては、図４（イ）（ロ）にその一例の概略を示す如き構成のものが提案されている。すなわち、上端に投入口２となる開口部を有し且つ底部に開閉自在な排出口３、たとえば、ゲート扉４を図示しない開閉駆動装置によって開閉駆動できるように具備してなる排出口３を有するミキシングパン１を設置し、該ミキシングパン１の左右２個所に、前後方向に延びる２本のシャフト５ａと５ｂを平行に配置し、該各シャフト５ａ，５ｂの両端部を、それぞれミキシングパンの１の前後壁面部に設けた軸受６に回転自在に支持させてある。上記各シャフト５ａ，５ｂの一端部は、対応する軸受６よりも外方へ突出させてあり、該各突出端部には、上記シャフト５ａと５ｂを対向方向に同期して回転駆動させるための動力伝達機構が内蔵してあるギアボックス７を介してミキサモータ８が連結してある。
【０００４】
上記ミキシングパン１内に位置する各シャフト５ａ，５ｂには、ミキシングパン１内にて混練対象物を撹拌するための撹拌部材が取り付けてある。この撹拌部材としては、一方のシャフト５ａの、たとえば、一端側（ミキサモータ８側）の外周と他方のシャフト５ｂの他端側（反ミキサモータ８側）の外周に、それぞれ螺旋方向に連なるよう配置した複数枚のブレード１０と、各シャフト５ａ，５ｂより放射方向に延びて先端部に上記各ブレード１０を取り付けた長尺のアーム１１とからなる外周側のミキシングパドル９、及び、各シャフト５ａ，５ｂ上の上記外周側ミキシングパドル９におけるブレード１０と同方向の螺旋方向に連なるよう配置した複数枚のブレード１３と、各シャフト５ａ，５ｂより放射方向に延びて先端部に上記各ブレード１３を取り付けた短いアーム１４とからなる内周側のミキシングパドル１２が用いられており、これら外周側のミキシングパドル９と内周側のミキシングパドル１２により撹拌搬送部Ｉを形成するようにしてある。
【０００５】
更に、撹拌部材として、上記一方のシャフト５ａの他端部の外周と、他方のシャフト５ｂの一端部の外周には、上記撹拌搬送部Ｉの外周側ミキシングパドル９の各ブレード１０とは逆の螺旋方向に連なるようにしてある少数枚のブレード１６と、各シャフト５ａ，５ｂより放射方向に延びて先端部に上記各ブレード１６を取り付けた長尺のアーム１７とからなる外周側のミキシングパドル１５、及び、該外周側ミキシングパドル１５の各ブレード１６と同方向の螺旋方向に連なる少数枚のブレード１９と、各シャフト５ａ，５ｂより放射方向に延びて先端部に上記各ブレード１９を取り付けた短いアーム２０とからなる内周側のミキシングパドル１８が用いられており、この外周側のミキシングパドル１５と内周側のミキシングパドル１８により撹拌変向部IIを形成するようにした構成のものとしてある。
【０００６】
上記構成を有している強制循環式のコンクリートミキサを用いて生コンクリートの混練を行う場合には、各ミキサモータ８の図示しないスイッチをオン作動させ、該各ミキサモータ８を起動させることによりギヤボックス７内の動力伝達機構を介して伝達される回転駆動力により上記各シャフト５ａと５ｂを回転させて、各シャフト５ａ，５ｂ上の撹拌部材を構成している各外周側ミキシングパドル９、各内周側ミキシングパドル１２、各外周側ミキシングパドル１５、各内周側ミキシングパドル１８を図４（ロ）に示す矢印Ｘ方向に回転駆動させた状態において、投入口２を通してミキシングパン１内に、図４（ロ）に一点鎖線で示す如く、セメント、骨材、水及び必要に応じて混合される混和剤や混和材料等の各種原料２２を投入するようにしている。該各種原料２２は、回転する双方のシャフト５ａ，５ｂに取り付けられた各撹拌部材により混練させられることにより生コンクリート２１として生成させるようにしてある。この際、ミキシングパン１内では、図４（イ）に二点鎖線で示す如く、各シャフト５ａ，５ｂの撹拌搬送部Ｉでは、外周側及び内周側の各ミキシングパドル９及び１２により、該撹拌搬送部Ｉに位置する生コンクリート２１を、それぞれのシャフト５ａ，５ｂに沿って撹拌変向部IIの方向へ移動させるような撹拌搬送が行われ、これにより生コンクリート２１が上記各撹拌変向部IIに達すると、該撹拌変向部IIでは、外周側及び内周側の各ミキシングパドル１５及び１８により生コンクリート２１に対して上記撹拌搬送部Ｉにおける搬送方向とは逆方向への運動性を付与することが行われる。これにより、行き場を失った生コンクリート２１を横向きに移動させて隣接するシャフト５ａ，５ｂの撹拌搬送部Ｉへ送るようにしてある。このように各シャフト５ａ，５ｂの撹拌搬送部Ｉと撹拌変向部IIによる搬送を繰り返すことにより、生コンクリート２１を、ミキシングパン１内にて水平方向に循環移動させて、水平方向にも撹拌して混練できるようにしてある。
【０００７】
その後、混練の終了した生コンクリート２１は、ミキシングパン１底部の排出口３のゲート扉４を開閉駆動装置により図４（ロ）に二点鎖線で示す如く開放させ、該開放した排出口３より排出させて回収できるようにしてある（たとえば、特許文献１参照）。
【０００８】
ところで、生コンクリート２１の混練に使用したコンクリートミキサは、作業終了後に、内部に付着して残留している生コンクリート２１を除去して、次回の使用に備えるために洗浄することが行われている。
【０００９】
従来コンクリートミキサを洗浄するときは、生コンクリート２１の製造が終了した後に、作業者が高圧洗浄機を用いてミキサ内部の生コンクリート２１がこびりついたところを洗浄する方法や、図４（イ）（ロ）に示す構成のものでは、ミキシングパン１の内部に水を満たした状態で、各ミキサモータ８を起動して、水の中で各シャフト５ａ，５ｂとともにブレード１０，１３，１６，１９やアーム１１，１４，１７，２０を混練方向と同じ方向へ回転させることにより、これらの撹拌部材を洗浄する方法、等が考えられている。
【００１０】
一方、コンクリートミキサの内部洗浄を機械的に行なうための洗浄装置としては、供給される高圧水の圧力を利用して垂直方向の軸線周りを公転すると同時に水平方向の軸線周りを自転しながら水を噴射できるようにしてあるノズル本体を備えた形式の回転ノズルを、ミキシングパンの内部、たとえば、天井部に複数設置し、該各回転ノズルに、清水（洗浄水）のタンクを、途中に計量ホッパと、高圧のポンプを順に備えた水供給ラインを介し接続し、更に、清水タンクと上記ポンプとの間に、計量ホッパを迂回するバイパス用の水供給ラインを設けた構成としたものが従来提案されている（たとえば、特許文献２参照）。
【００１１】
この特許文献２に記載されているコンクリートミキサの洗浄装置では、コンクリートミキサにおける生コンクリートの混練中には、混練水の一部となるよう計量ホッパにて計量した洗浄水を、ポンプにて高圧に加圧して各回転ノズルに供給し、該各回転ノズルの回転するノズル本体より噴射させることでミキサ内部の洗浄を行わせるようにしてある。
【００１２】
又、コンクリートミキサの運転終了後に洗浄作業を行う場合には、タンクよりバイパス用の水供給ラインを通してポンプへ直接導いた洗浄水を、上記と同様にポンプにて高圧に加圧して各回転ノズルへ供給し、該各回転ノズルより噴射させることで、ミキサ内部の洗浄を行わせるようにしてある。
【００１３】
更に、上記と同様の回転ノズルをミキシングパンの天井部に複数設置して、該各回転ノズルよりポンプにて高圧に加圧した洗浄水を噴射できるようにした構成としてあるコンクリートポンプの洗浄装置において、各回転ノズルにおけるノズル本体の回転を、供給される水の圧力を利用して行なわせることに代えて、ノズル本体を回転させるための駆動部を別途設けて、洗浄水が供給されない間も回転ノズルを回転駆動させることができるようにしたものも従来提案されている（たとえば、特許文献３参照）。
【００１４】
【特許文献１】特開２００３−１２６６６８号公報
【特許文献２】特許第２６２６９５１号公報
【特許文献３】特開平１０−５７７９４号公報
【発明の開示】
【発明が解決しようとする課題】
【００１５】
ところが、作業者が高圧洗浄機を用いてミキサ内部の生コンクリートがこびりついたところを洗浄する場合には、ミキサ内部の洗浄は毎日の作業であるため人手の負担が大きいものとなってしまう。
【００１６】
又、図４（イ）（ロ）に示した特許文献１に記載されているコンクリートミキサ内に洗浄用の水を満たして洗浄する場合、コンクリートミキサの各ミキサモータ８は、生コンクリート２１を混練するときに対応するシャフト５ａ，５ｂを図４（ロ）に矢印Ｘで示す対向方向となる一方向へのみ回転駆動させるためのものであること、ミキサモータ８の動力回路の構成を正逆転両用にした場合に生じるコストアップを避けるため、等の点から、上記各ミキサモータ８の動力回路は、正回転しかできないようにしてある。
【００１７】
そのために、ミキサモータ８の運転によりミキシングパン１内に満たした水の中で各シャフト５ａ，５ｂ、ブレード１０，１３，１６，１９やアーム１１，１４，１７，２０を水洗いする手法を採用する場合には、上記シャフト５ａ，５ｂやブレード１０，１３，１６，１９やアーム１１，１４，１７，２０は一方向にしか回転させることができず、このため、上記各撹拌部材の回転方向の前面側（表面側）に付着している生コンクリート２１は洗浄できるとしても、回転方向の背面側（裏面側）にこびり付いているモルタル分を洗浄することは困難であるという問題がある。
【００１８】
上記特許文献２及び特許文献３に示されたコンクリートミキサの洗浄装置の場合は、コンクリートミキサにおける生コンクリートの混練時に混練水の一部となる洗浄水を用いて行なう洗浄であるため、ミキシングパン１の内壁面の洗浄には効果がある。しかし、ブレードやアームは、生コンクリートの混練中には常に生コンクリートに浸っているものであるため、洗浄することができない。
【００１９】
一方、コンクリートミキサの運転停止後に洗浄を行うようにすれば、回転ノズルより噴射する洗浄水をブレードやアームに当てて洗浄することは可能になるが、各ブレードやアームは回転するものであるため、該各ブレードやアームが停止したときの姿勢によっては、回転ノズルより噴射した洗浄水が各ブレードやアームにうまく当らない虞が生じることが懸念される。更に、上記特許文献２及び特許文献３に示されたコンクリートミキサの洗浄装置では、回転ノズルを設置する必要があると共に、洗浄水を加圧するための高圧ポンプも別途必要になる。
【００２０】
そこで、本発明は、ミキサ内部に付着する生コンクリートを、より確実に且つ効率よく洗浄することができるコンクリートミキサの方法及び洗浄装置を提供しようとするものである。
【課題を解決するための手段】
【００２１】
本発明は、上記課題を解決するために、請求項１に係る発明に対応して、コンクリートミキサのミキシングパン内に水を満たした後、ミキサモータを所要の時間間隔で交互に正回転及び逆回転させるようにし、上記ミキシングパン内の水の中でシャフトと撹拌部材を正回転及び逆回転させて洗浄するようにするコンクリートミキサの洗浄方法とする。
【００２２】
又、請求項２に係る発明に対応して、コンクリートミキサのミキサモータへ電力供給する電源ライン上に、外部より入力される正転信号又は逆転信号に応じて上記ミキサモータへ供給する電力をそれぞれ正回転方向又は逆回転方向に切り替えられるようにしてあるインバータを設け、更に、洗浄開始スイッチの操作により、上記インバータへ正転信号及び逆転信号を所要の時間間隔で交互に与えることができるようにしてある制御部を備えた構成を有するコンクリートミキサの洗浄装置とする。
【００２３】
更に、上記請求項２に係る発明におけるインバータへ入力される正転信号と逆転信号の入力ライン上に、可逆開閉器を設け、且つ制御部を、洗浄開始スイッチの操作時に、上記可逆開閉器の正転信号入力ライン側接点と逆転信号入力ライン側接点を所要の時間間隔で交互に閉路させる機能を備えた構成とする。
【００２４】
又、請求項４に係る発明に対応して、コンクリートミキサのミキサモータの電源ラインの途中位置に、該電源ラインの通電方向を反転させるよう電力線を交差接続した逆転回路を並列に設け、該逆転回路と電源ライン上の対応する個所に可逆開閉器を設け、更に、洗浄開始スイッチの操作により、上記可逆開閉器の上記電源ライン側接点と逆転回路側接点を所要の時間間隔で閉路させることができるようにしてある制御部を備えた構成を有するコンクリートミキサの洗浄装置とする。
【発明の効果】
【００２５】
本発明によれば、以下の如き優れた効果を発揮する。  
（１）コンクリートミキサのミキシングパン内に水を満たした後、ミキサモータを所要の時間間隔で交互に正回転及び逆回転させるようにし、上記ミキシングパン内の水の中でシャフトと撹拌部材を正回転及び逆回転させて洗浄するようにするコンクリートミキサの洗浄方法としてあるので、ミキサモータを或る時間ごとに交互に正回転と逆回転させることができて、ミキサモータの正回転時には、ミキシングパン内に満たした水の中でシャフトに一体に取り付けてある撹拌部材の回転方向の前面側を効率よく洗浄できる。又、ミキサモータの逆回転時には、上記シャフトに取り付けてある撹拌部材における通常回転時には背面側となる部分を効率よく洗浄できる。したがって、ミキサ内部を確実に且つ効率よく洗浄することが可能となる。  
（２）コンクリートミキサのミキサモータへ電力供給する電源ライン上に、外部より入力される正転信号又は逆転信号に応じて上記ミキサモータへ供給する電力をそれぞれ正回転方向又は逆回転方向に切り替えられるようにしてあるインバータを設け、更に、洗浄開始スイッチの操作により、上記インバータへ正転信号及び逆転信号を所要の時間間隔で交互に与えることができるようにしてある制御部を備えた構成を有するコンクリートミキサの洗浄装置とすることにより、上記（１）の効果のほかに、制御部の洗浄開始スイッチを操作するだけで、ミキサモータを所要の時間間隔で交互に正回転と逆回転させることができるようになる。したがって、ミキサ内部の洗浄を、ミキシングパンに水を満たした後、上記制御部の洗浄開始スイッチを操作するだけで実施できることから、コンクリートミキサの使用後に行なう洗浄作業に要する作業者の労力を大幅に軽減できると共に、洗浄作業に要する作業時間を短縮することが可能になる。  
（３）上記（２）の構成にインバータへ入力される正転信号と逆転信号の入力ライン上に、可逆開閉器を設け、且つ制御部を、洗浄開始スイッチの操作時に、上記可逆開閉器の正転信号入力ライン側接点と逆転信号入力ライン側接点を所要の時間間隔で交互に閉路させる機能を備えた構成を付加したことにより、インバータへ入力される正転信号と逆転信号とを所要の時間間隔で交互に切り替えることができる。  
（４）又、コンクリートミキサのミキサモータの電源ラインの途中位置に、該電源ラインの通電方向を反転させるよう電力線を交差接続した逆転回路を並列に設け、該逆転回路と電源ライン上の対応する個所に可逆開閉器を設け、更に、洗浄開始スイッチの操作により、上記可逆開閉器の上記電源ライン側接点と逆転回路側接点を所要の時間間隔で閉路させることができるようにしてある制御部を備えた構成を有する構成とすることによっても、上記（２）と同様の効果を得ることができる。
【発明を実施するための最良の形態】
【００２６】
以下、本発明を実施するための最良の形態を図面を参照して説明する。
【００２７】
図１は本発明のコンクリートミキサの洗浄方法に用いる装置の実施の形態として、ミキサモータに接続する回路構成の一例を示すもので、以下のような構成としてある。すなわち、図４（イ）（ロ）に示したと同様の２軸式の強制撹拌式のコンクリートミキサのミキサモータ８（図では片方のミキサモータ８について示してある）の端子と、図示しない電源より三相交流が供給される三相交流回路２３とを接続する電源ライン２４の途中位置に、外部より入力される正転信号又は逆転信号に応じて上記ミキサモータ８へ供給する電力をそれぞれ正回転方向又は逆回転方向に切り替えられるようにしてあるインバータ２５を設ける。更に、該インバータ２５の正転信号入力ライン２６と逆転信号入力ライン２７に、ニュートラルポジション付きの可逆開閉器５２の接点５２−Ｆと５２−Ｒをそれぞれ介装して、該可逆開閉器５２により上記インバータ２５への正転信号と逆転信号の入力のオン、オフを切り替えることで、上記インバータ２５よりミキサモータ８への電力供給のオンとオフの切り替え、並びに、供給電力の通電方向の正回転方向と逆回転方向との切り替えを行なうことができるようにする。
【００２８】
更に、コンクリートミキサの通常運転と洗浄運転との切替えを行なう通常／洗浄切替スイッチＳＷ３と、コンクリートミキサの通常運転用のオン、オフ操作を行なうミキサ運転スイッチＳＷ４と、洗浄運転用の洗浄開始スイッチＳＷ１と，洗浄運転を終了させる洗浄終了スイッチＳＷ２とを備え、且つ該各スイッチＳＷ１，ＳＷ２，ＳＷ３，ＳＷ４の所定の操作に応じて、上記可逆開閉器５２の各接点５２−Ｆと５２−Ｒの作動（閉路作動）を制御する制御部２８を備える。
【００２９】
詳述すると、上記制御部２８は、三相交流回路２３のうちの２本の電力線、たとえば、Ｒ相線と、Ｓ相線との間に、通常／洗浄切替スイッチＳＷ３を設け、該通常／洗浄切替スイッチＳＷ３の通常運転側端子２９には、ミキサ運転スイッチＳＷ４と、上記可逆開閉器５２の正転信号入力ライン２６側の接点（以下、正転側接点という）５２−Ｆを閉路作動させるためのリレー５２−Ｆとを直列に接続してある。これにより、通常／洗浄切替スイッチＳＷ３を通常運転側端子２９に切替えた状態にて、ミキサ運転スイッチＳＷ４をオン、オフ操作することに応じて、上記リレー５２−Ｆへの通電のオン（励磁）、オフ（消磁）を切り替えることができるようになる。したがって、上記ミキサ運転スイッチＳＷ４をオン操作している間は、上記リレー５２−Ｆが励磁され、これにより、可逆開閉器５２の正転側接点５２−Ｆが閉じられるようになるため、上記インバータ２５へは正転信号が入力され、該インバータ２５よりミキサモータ８へ通電方向が正回転方向となるよう電力供給を行なうことができて、該ミキサモータ８を正回転させることができる。よって、ミキシングパン１内では、図４（ロ）に示したと同様に、各シャフト５ａ，５ｂと一体に矢印Ｘ方向へ回転するブレード１０，１３，１６，１９及びアーム１１，１４，１７，２０により、従来と同様に、生コンクリート２１の混練を行なうことができるようになる。
【００３０】
一方、上記通常／洗浄切替スイッチＳＷ３の洗浄運転側端子３０には、上記可逆開閉器５２の正転側接点５２−Ｆを作動させるためのリレー５２−Ｆが、後述する正転タイマ回路３１のリレーＸ１のａ接点Ｘ１を介して接続してあると共に、上記可逆開閉器５２の逆転信号入力ライン２７側の接点（以下、逆転側接点という）５２−Ｒを閉路作動させるためのリレー５２−Ｒが、後述する逆転タイマ回路３３のリレーＸ３のａ接点Ｘ３を介して接続してある。これにより、上記通常／洗浄切替スイッチＳＷ３の洗浄運転側端子３０に対して、上記正転タイマ回路３１のリレーＸ１により通電が制御されるリレー５２−Ｆと、上記逆転タイマ回路３３のリレーＸ３により通電が制御されるリレー５２−Ｒとが、並列に接続された状態となるようにしてある。なお、上記各リレー５２−Ｆと５２−Ｒは、互いに排他的に励磁できるようにするために、リレー５２−Ｆの回路にはリレー５２−Ｒのｂ接点５２−Ｒを、又、リレー５２−Ｒの回路にはリレー５２−Ｆのｂ接点５２−Ｆを、それぞれ直列に付設するようにしてある。
【００３１】
更に、上記通常／洗浄切替スイッチＳＷ３の洗浄運転側端子３０には、手動操作自動復帰型の洗浄終了スイッチＳＷ２を接続し、更に、該洗浄終了スイッチＳＷ２に対し、洗浄開始スイッチＳＷ１と上記リレーＸ１を直列に備えて洗浄運転の開始と上記リレー５２−Ｆの制御を行うことができると共に、所定時間経過後に次の正→逆切替タイマ回路３２への通電を開始させる正転タイマ回路３１と、上記正転タイマ回路３１への通電を遮断した後、所定時間経過後に次の逆転タイマ回路３３への通電を開始させる正→逆切替タイマ回路３２と、上記リレーＸ３を備えて上記リレー５２−Ｒの制御を行なうことができると共に、所定時間経過後に次の逆→正切替タイマ回路３４への通電を開始させる逆転タイマ回路３３と、上記逆転タイマ回路３３への通電を遮断した後、所定時間経過後に上記正転タイマ回路３１への通電を再び開始させる逆→正切替タイマ回路３４とを並列に接続して設けた構成としてある。
【００３２】
更に具体的に述べると、上記正転タイマ回路３１は、手動操作自動復帰型の洗浄開始スイッチＳＷ１に、正→逆切替タイマ回路３２におけるリレーＸ２のｂ接点Ｘ２を介在させて、リレーＸ１と限時リレーＴ１を並列接続すると共に、上記洗浄開始スイッチＳＷ１が自動的に復帰しても、上記リレーＸ１及び限時リレーＴ１に対する通電を継続できるようにするために、上記リレーＸ１のａ接点Ｘ１を、上記洗浄開始スイッチＳＷ１対して並列に設け、更に、逆→正切替タイマ回路３４の限時リレーＴ４のａ接点Ｔ４が時限作動されることにより通電が開始されるように、該限時リレーＴ４のａ接点Ｔ４を、上記洗浄開始スイッチＳＷ１に対して並列に設けた構成としてある。
【００３３】
上記正→逆切替タイマ回路３２は、上記正転タイマ回路３１の限時リレーＴ１のａ接点Ｔ１に、逆転タイマ回路３３におけるリレーＸ３のｂ接点Ｘ３を介在させて、リレーＸ２と限時リレーＴ２を並列接続すると共に、上記限時リレーＴ１のａ接点Ｔ１が一旦閉路された後に開路されても、上記リレーＸ２及び限時リレーＴ２への通電を継続できるようにするために、上記リレーＸ２のａ接点Ｘ２を、上記限時リレーＴ１のａ接点Ｔ１に対して並列に設けた構成としてある。
【００３４】
上記逆転タイマ回路３３は、上記正→逆切替タイマ回路３２の限時リレーＴ２のａ接点Ｔ２に、逆→正切替タイマ回路３４におけるリレーＸ４のｂ接点Ｘ４を介在させて、リレーＸ３と限時リレーＴ３を並列接続すると共に、上記限時リレーＴ２のａ接点Ｔ２が一旦閉路された後に開路されても、上記リレーＸ３及び限時リレーＴ３への通電を継続できるようにするために、上記リレーＸ３のａ接点Ｘ３を、上記限時リレーＴ２のａ接点Ｔ２に対して並列に設けた構成としてある。
【００３５】
上記逆→正切替タイマ回路３４は、上記逆転タイマ回路３３の限時リレーＴ３のａ接点Ｔ３に、上記正転タイマ回路３１のリレーＸ１のｂ接点Ｘ１を介在させて、リレーＸ４と限時リレーＴ４を並列接続すると共に、上記限時リレーＴ３のａ接点Ｔ３が一旦閉路された後に開路されても、上記リレーＸ４及び限時リレーＴ４への通電を継続できるようにするために、上記リレーＸ４のａ接点Ｘ４を、上記限時リレーＴ３のａ接点Ｔ３に対して並列に設けた構成としてある。
【００３６】
上記回路構成としてあることにより、通常／洗浄切替スイッチＳＷ３を洗浄運転側端子３０に切替えた状態では、図２に示す如く、洗浄開始スイッチＳＷ１をオン操作すると、先ず、正転タイマ回路３１のリレーＸ１と限時リレーＴ１への通電が行なわれ、該リレーＸ１が励磁されると同時に、限時リレーＴ１が励磁されて、該限時リレーＴ１では時限（タイマ）機能のカウントダウンが開始される。なお、限時リレーＴ１に関し、図２に破線で示したものは、該限時リレーＴ１のａ接点Ｔ１が作動するまでのディレー時間を示すものである（以下、他の限時リレーＴ２，Ｔ３，Ｔ４についても同様とする）。上記リレーＸ１が励磁されることに伴い、通常／洗浄切替スイッチＳＷ３の洗浄運転側端子３０と、リレー５２−Ｆとの間に設けてあるリレーＸ１のａ接点Ｘ１が閉じると共に、逆→正切替タイマ回路３４におけるリレーＸ１のｂ接点Ｘ１が開く。これにより、上記リレー５２−Ｆへの通電が開始されて励磁が行なわれ、可逆開閉器５２の正転側接点５２−Ｆが閉じるため、インバータ２５には正転信号が入力されるようになる。よって、ミキサモータ８に対しては正回転方向の電力供給が行なわれ、該ミキサモータ８の正回転が開始されるようになる。なお、この際には、正転タイマ回路３１における上記洗浄開始スイッチＳＷ１に並列に設けてあるリレーＸ１のａ接点Ｘ１が閉じるため、その後、洗浄開始スイッチＳＷ１を離しても、正転タイマ回路３１におけるリレーＸ１及び限時リレーＴ１への通電は継続される。
【００３７】
次に、上記限時リレーＴ１のａ接点Ｔ１が、図２に示す如く、予め設定されている時限ののち閉じる。これにより、正→逆切替タイマ回路３２への通電が開始され、リレーＸ２が励磁されると同時に、限時リレーＴ２が励磁され、該限時リレーＴ２では、時限機能のカウントダウンが開始される。上記リレーＸ２が励磁されると、正転タイマ回路３１に設けてある該リレーＸ２のｂ接点Ｘ２が開路されるため、該正転タイマ回路３１への通電は遮断される。このため、リレーＸ１は消磁され、該リレーＸ１の各ａ接点Ｘ１が開路されることに伴い、リレー５２−Ｆは消磁されて、可逆開閉器５２の正転側接点５２−Ｆが開路される。これにより、インバータ２５への正転信号の入力がなくなるため、該インバータ２５からミキサモータ８への電力供給は停止され、該ミキサモータ８の正回転方向の運転は停止される。なお、上記正転タイマ回路３１への通電の遮断に伴い、限時リレーＴ１への通電が行なわれなくなるため、正→逆切替タイマ回路３２における上記限時リレーＴ１のａ接点Ｔ１が開路することとなるが、該限時リレーＴ１のａ接点Ｔ１に対しては上記リレーＸ２のａ接点Ｘ２が並列に設けてあるため、正→逆切替タイマ回路３２におけるリレーＸ２及び限時リレーＴ２への通電は継続される。又、上記リレー５２−Ｆの消磁によりそのｂ接点５２−Ｆが閉じる。
【００３８】
次いで、上記限時リレーＴ２のａ接点Ｔ２が、図２に示す如く、予め設定されている時限ののち閉じる。これにより、逆転タイマ回路３３への通電が開始され、リレーＸ３が励磁されると同時に、限時リレーＴ３が励磁され、該限時リレーＴ３では時限機能のカウントダウンが開始される。上記リレーＸ３が励磁されることに伴い、通常／洗浄切替スイッチＳＷ３の洗浄運転側端子３０と、リレー５２−Ｒとの間に設けてあるリレーＸ３のａ接点Ｘ３が閉じると共に、そのｂ接点Ｘ３が開く。これにより、上記リレー５２−Ｒへの通電が開始され、可逆開閉器５２の逆転側接点５２−Ｒが閉じて、インバータ２５には逆転信号が入力されるようになると同時にリレー５２−Ｒのｂ接点５２−Ｒが開き、リレー５２−Ｆは消磁される。このために、該インバータ２５よりミキサモータ８に対して逆回転方向の電力供給が行なわれて、該ミキサモータ８は逆回転させられるようになる。一方、上記正→逆切替タイマ回路３２に設けてあるリレーＸ３のｂ接点Ｘ３が開路されることにより、該正→逆切替タイマ回路３２への通電は遮断される。この際、正→逆切替タイマ回路３２における限時リレーＴ２への通電が行なわれなくなるため、逆転タイマ回路３３における上記限時リレーＴ２のａ接点Ｔ２が開路することとなるが、該限時リレーＴ２のａ接点Ｔ２に対しては上記リレーＸ３のａ接点Ｘ３が並列に設けてあるため、逆転タイマ回路３３におけるリレーＸ３及び限時リレーＴ３への通電は継続される。
【００３９】
その後、上記限時リレーＴ３のａ接点Ｔ３が、図２に示す如く、予め設定されている時限ののち閉じる。これにより、逆→正切替タイマ回路３４への通電が開始され、リレーＸ４が励磁されると同時に、限時リレーＴ４が励磁されて、該限時リレーＴ４では時限機能のカウントダウンが開始される。上記リレーＸ４が励磁されることに伴い、逆転タイマ回路３３に設けてあるリレーＸ４のｂ接点Ｘ４が開路されるため、該逆転タイマ回路３３への通電は遮断される。このため、リレーＸ３は消磁され、該リレーＸ３のａ接点Ｘ３が開路されることに伴い、リレー５２−Ｒへの通電が遮断されて消磁されると同時にリレー５２−Ｒのｂ接点５２−Ｒが閉じる。これにより、可逆開閉器５２の逆転側接点５２−Ｒが開路され、インバータ２５への外部信号の入力がなくなるため、該インバータ２５からミキサモータ８への電力供給は停止され、該ミキサモータ８の逆回転方向の運転は停止される。なお、上記逆転タイマ回路３３の通電の遮断に伴い、限時リレーＴ３への通電が行なわれなくなるため、逆→正切替タイマ回路３４における上記限時リレーＴ３のａ接点Ｔ３が開路することとなるが、該限時リレーＴ３のａ接点Ｔ３に対しては上記リレーＸ４のａ接点Ｘ４が並列に設けてあるため、逆→正切替タイマ回路３４におけるリレーＸ４及び限時リレーＴ４への通電は継続される。
【００４０】
しかる後、限時リレーＴ４のａ接点Ｔ４が、図２に示す如く、予め設定されている時限ののち閉じる。これにより、正転タイマ回路３１への通電が再び開始されるようになるため、前述の洗浄開始スイッチＳＷ１をオン操作した場合と同様に、リレーＸ１が励磁されて、逆→正切替タイマ回路３４では、上記リレーＸ１のｂ接点Ｘ１が開路されるため、該逆→正切替タイマ回路３４の通電は遮断される。同時に、上記リレーＸ１のａ接点Ｘ１が閉路されることで、リレー５２−Ｆが励磁されるようになるため、ミキサモータ８は再び正回転させられるようになると同時にリレー５２−Ｆのｂ接点５２−Ｆが閉じる。更に、限時リレーＴ１の励磁が行なわれるため、その後、上記したと同様に、上記限時リレーＴ１，Ｔ２，Ｔ３，Ｔ４のそれぞれのａ接点Ｔ１，Ｔ２，Ｔ３，Ｔ４が予め設定されているディレー時間で順次作動することによって、上記正転タイマ回路３１、正→逆切替タイマ回路３２、逆転タイマ回路３３、逆→正切替タイマ回路３４への通電が順次切り替えられる。このため、ミキサモータ８は、上記限時リレーＴ１，Ｔ２，Ｔ３，Ｔ４に各々設定されているディレー時間に応じて、正回転、停止、逆回転、停止の運転動作を順次繰り返して行なうことができるようになる。
【００４１】
その後、洗浄終了スイッチＳＷ２を操作すると、上記各タイマ回路３１，３２，３３，３４への通電がすべて遮断されるため、リレーＸ１，Ｘ２，Ｘ３，Ｘ４及び限時リレーＴ１，Ｔ２，Ｔ３，Ｔ４がすべて消磁される。このため、ミキサモータ８は、正回転又は逆回転中であっても、その運転動作が停止されて洗浄運転が終了される。
【００４２】
なお、図１における３５は短絡等の異常発生時にミキサモータ８を保護するために電源ライン２４上に設けたブレーカである。
【００４３】
上記本発明のコンクリートミキサの洗浄装置を用いて使用後のコンクリートミキサの内部洗浄を行なう場合は、ミキシングパン１に水を満たし、その後、通常／洗浄切替スイッチＳＷ３を洗浄運転側に切り替えた状態として、洗浄開始スイッチＳＷ１をオン作動させる。これにより、各ミキサモータ８が、上記したように、制御部２８の各限時リレーＴ１，Ｔ２，Ｔ３，Ｔ４の時限で規定される所定の時間間隔で、交互に正回転と逆回転を繰り返すため、上記ミキシングパン１内に満たされた水の中にて、各シャフト５ａ，５ｂとブレード１０，１３，１６，１９及びアーム１１，１４，１７，２０がそれぞれ交互に正回転と逆回転させられるため、該各シャフト５ａ，５ｂやブレード１０，１３，１６，１９、アーム１１，１４，１７，２０にこびり付いたモルタル分は、通常運転時の回転方向の前面側及び背面側のいずれの側に付着したものであっても、効率よく水洗されるようになる。又、ミキシングパン１に満たされた水が、交互に正回転、逆回転される上記各ブレード１０，１３，１６，１９やアーム１１，１４，１７，２０によって撹拌されることで、該ミキシングパン１の内面に付着したモルタル分も効率よく水洗されるようになる。その後、上記ミキサ内部の洗浄が終了した後は、洗浄終了スイッチＳＷ２を操作することで洗浄運転を終了させるようにする。
【００４４】
このように、本発明のコンクリートミキサの洗浄方法及び装置によれば、ミキサ内部の洗浄を、ミキシングパン１に水を満たした後、通常／洗浄切替スイッチＳＷ３と洗浄開始スイッチＳＷ１を操作するだけで実施できる。したがって、生コンクリート製造工場やコンクリート製品工場において毎日欠かさずに行わなくてはならない洗浄作業に要する作業者の労力を大幅に軽減できると共に、洗浄作業に要する作業時間を短縮することが期待できる。更に、洗浄ノズルの設置を不要にでき且つ高圧ポンプ等を別途必要とすることはない。
【００４５】
次に、図３は本発明の実施の他の形態におけるミキサモータへ接続する回路構成を示すもので、図１に示したと同様の構成において、ミキサモータ８へ給電を行う３相交流の電力ライン２４の途中位置に、可逆開閉器５２により入力が制御される正転信号と逆転信号に応じてミキサモータ８への供給電力の通電方向を正転側と逆転側で切り替えるようにしてあるインバータ２５を設けることに代えて、上記電源ライン２４の途中位置に、３本の結線（電力線）のうちの２本（図ではＲ相線とＳ相線の場合を示してある）を交差させて接続した逆転回路３６を設け、且つ該逆転回路３６と、これに並列配置となる電源ライン２４に、図１に示したと同様の制御部２８のリレー５２−Ｆによって作動が制御される可逆開閉器５２の一方の接点５２−Ｆと、上記制御部２８のリレー５２−Ｒによって作動が制御される上記可逆開閉器５２の他方の接点５２−Ｒをそれぞれ介装させて設けたものである。
【００４６】
その他の構成は図１に示したものと同様であり、同一のものには同一符号が付してある。
【００４７】
本実施の形態によれば、制御部２８にて、洗浄運転を行なうべく、通常／洗浄切替スイッチＳＷ３を洗浄運転側に切り替えた状態で洗浄開始スイッチＳＷ１をオン操作し、上記実施の形態と同様に、リレー５２−Ｆと５２−Ｒを所要の時間間隔で交互に励磁させると、可逆開閉器５２の電源ライン２４上の接点５２−Ｆと逆転回路３６上の接点５２−Ｒが所要の時間間隔で交互に閉じられるようになる。これにより、ミキサモータ８に対しては、上記電源ライン２４を経た電力供給と、逆転回路３６を経た電力供給が所定の時間間隔で交互に行なわれるようになることから、上記ミキサモータ８は、所定の時間間隔で交互に正回転と逆回転を繰り返すこととなる。
【００４８】
よって、本実施の形態によってもコンクリートミキサのミキシングパン１内に水を満たした状態でミキサモータ８を所定の時間間隔で交互に正回転と逆回転させることにより、ミキサ内部にこびり付いたモルタル分を効率よく洗浄できて、上記実施の形態と同様の効果を得ることができる。
【００４９】
なお、本発明は上記実施の形態のみに限定されるものではなく、コンクリートミキサの洗浄を行なう際、ミキサモータ８へ供給する電力の通電方向を、自動的に所要の時間間隔で正転側と逆転側へ交互に切替えることができるようにしてあれば、回路構成としては図１及び図３に示した以外の回路構成を採用するようにしてもよい。コンクリートミキサとしては、いかなる形式のブレードやミキシングパドルを備えた形式のコンクリートミキサにも適用できる。又、ミキシングパン１内にて、ミキサモータ８により回転駆動されるブレードやミキシングパドル等の混練用の部材にて混練を行う形式のものであれば、二軸式以外のコンクリートミキサにも適用できる。その他本発明の要旨を逸脱しない範囲内において種々変更を加え得ることは勿論である。
【図面の簡単な説明】
【００５０】
【図１】本発明のコンクリートミキサの洗浄方法に用いるための装置の実施の一形態として、ミキサモータに接続した回路構成を示す図である。
【図２】図１の装置における洗浄運転時の作動を示すタイムチャートである。
【図３】本発明の実施の他の形態を示す回路構成図である。
【図４】強制撹拌式のコンクリートミキサの一例を示すもので、（イ）は概略平面図、（ロ）は（イ）のＡ−Ａ方向矢視図である。
【符号の説明】
【００５１】
１  ミキシングパン
８  ミキサモータ
５ａ，５ｂ  シャフト
９，１５  外周側ミキシングパドル（撹拌部材）
１０，１３，１６，１９  ブレード（撹拌部材）
１１，１４，１７，２０  アーム（撹拌部材）
１２，１８  内周側ミキシングパドル（撹拌部材）
２４  電源ライン
２５  インバータ
２６  正転信号入力ライン
２７  逆転信号入力ライン
２８  制御部
３６  逆転回路
５２  可逆開閉器
ＳＷ１  洗浄開始スイッチ
【図１】
2005254188.tif 000003
【図２】
2005254188.tif 000004
【図３】
2005254188.tif 000005
【図４】
2005254188.tif 000006